(57)【要約】【課題】表面シートに配されたスキンケア剤が防漏カフに付着することによって起こる、排泄物の漏れが抑制され、スキンケア効果に優れた吸収性物品を提供すること。【解決手段】表面シート２における、防漏カフ５を横方向Ｙの内側に倒伏させたときに該防漏カフ５と重ならない部分に、スキンケア剤１０が配されている。おむつ１の股下部Ｂにおいて、表面シート２が、吸収体４の両側縁４Ｓから横方向Ｙの外方に延出し、その延出部２Ｅが、吸収体４の横方向Ｙの外方において、縦方向Ｘに延びる折曲線２１にて表面シート２の肌対向面側に折り重ねられ且つその重なり合う表面シート２どうしが接合されて、折り重ね接合部２０を形成しており、該折り重ね接合部２０に防漏カフ５が接合されている。【選択図】図２
2019030399.tif 000002
【特許請求の範囲】
【請求項１】
着用者の前後方向に相当する縦方向とこれに直交する横方向とを有すると共に、着用者の股間部に配される股下部並びにその前後に延在する腹側部及び背側部を有し、
液保持性の吸収性コアを含んで構成される吸収体と、該吸収体の横方向外方に位置する固定部を起点として着用者の肌に向かって起立する一対の防漏カフと、該一対の防漏カフ間に配され、該吸収性コアよりも着用者の肌に近い位置で該吸収体と重なる表面シートとを備える吸収性物品であって、
前記表面シートにおける、前記防漏カフを横方向内側に倒伏させたときに該防漏カフと重ならない部分に、スキンケア剤が配されており、
前記股下部において、前記表面シートが、前記吸収体の縦方向に沿う両側縁から横方向外方に延出し、その表面シートの延出部が、該吸収体の横方向外方において、縦方向に延びる折曲線にて該表面シートの肌対向面側に折り重ねられ且つその重なり合う表面シートどうしが接合されて、折り重ね接合部を形成しており、該折り重ね接合部に前記防漏カフが接合されている吸収性物品。
【請求項２】
前記吸収性コアは、平面視において前記股下部に位置する部分が括れている請求項１に記載の吸収性物品。
【請求項３】
前記折り重ね接合部と前記防漏カフの起立の起点となる前記固定部とが重なっている請求項１又は２に記載の吸収性物品。
【請求項４】
前記折り重ね接合部において重なり合う表面シートどうしが、接着剤を介して接合されている請求項１〜３のいずれか１項に記載の吸収性物品。
【請求項５】
前記折り重ね接合部において重なり合う表面シートどうしが、融着によって接合されている請求項１〜４のいずれか１項に記載の吸収性物品。
【請求項６】
前記折り重ね接合部は、前記表面シートの重なり部分において、少なくとも前記折曲線と側とは反対側に形成されている請求項１〜５のいずれか１項に記載の吸収性物品。
【請求項７】
前記吸収性物品を折り畳むのに利用される折り目が、前記股下部を横方向に横断するように形成されており、前記折り重ね接合部が、該折り目を跨いで縦方向に延びている請求項１〜６のいずれか１項に記載の吸収性物品。
【発明の詳細な説明】
【技術分野】
【０００１】
本発明は、スキンケア剤が配された表面シートと、該表面シートの両側に配された防漏カフとを備えた吸収性物品に関する。
【背景技術】
【０００２】
使い捨ておむつ等の吸収性物品において、尿などの排泄物の股下からの横漏れを防止する防漏壁として、着用時に股下部において着用者の肌に向かって起立する防漏カフを備えたものが知られている（例えば特許文献１及び２）。典型的な防漏カフは、疎水性の防漏カフ形成用シートの横方向一端側が裏面シートなどの他の部材に接合されて固定部を形成し、他端側が折り返されその折り返し部分の内部に弾性部材が伸長状態で固定された構成を有する。斯かる構成の防漏カフにおいて、防漏カフ形成用シートの折り返し部分は、股下部の前後に延在する腹側部及び背側部では表面シートなどの他の部材に接合され、股下部では他の部材と非接合の自由端部とされている。これにより吸収性物品の着用時には、横方向と直交する縦方向即ち着用者の前後方向に相当する方向に弾性部材の収縮力が働き、股下部で防漏カフが、前記固定部を起点としてその自由端部側を着用者の肌に向けて起立する。起立した防漏カフと表面シートとの間にポケットが形成され、股下からの体液の横漏れが防止される。
【０００３】
また、吸収性物品を着用すると、蒸れ等によって皮膚にかぶれが生じることがある。そこで、このような肌トラブルを防止するべく、例えば特許文献３に記載されているように、吸収性物品における着用者の肌と接触し得る部位に、スキンケア効果を有するエモリエント剤を配することが従来行われている。また特許文献４には、防漏カフを備えた使い捨ておむつの表面シートにエモリエント剤を配することが記載されている。
【先行技術文献】
【特許文献】
【０００４】
【特許文献１】特開２０００−２８８０１２号公報
【特許文献２】特開２００５−２１８８７６号公報
【特許文献３】特開２０１２−１２５２９２号公報
【特許文献４】特開２０１２−１４３５４３号公報
【発明の概要】
【発明が解決しようとする課題】
【０００５】
吸収性物品に適用される有用なスキンケア剤には、該スキンケア剤の付着部分を親水化し得る、即ち該付着部分の疎水度を低減し得るものがあるところ、そのような親水化作用を有するスキンケア剤を、疎水性の防漏カフを具備する吸収性物品の表面シートに配置した場合、防漏カフが表面シート側に倒伏してこれと接触した際に、スキンケア剤が表面シートから防漏カフに転移して該防漏カフを親水化し、その防漏カフの親水化した部分から、尿な便などの排泄物が漏れ出すおそれがある。
【０００６】
従って本発明の課題は、表面シートに配されたスキンケア剤が防漏カフに付着することによって起こる、排泄物の漏れが抑制され、スキンケア効果に優れた吸収性物品を提供することに関する。
【課題を解決するための手段】
【０００７】
本発明は、着用者の前後方向に相当する縦方向とこれに直交する横方向とを有すると共に、着用者の股間部に配される股下部並びにその前後に延在する腹側部及び背側部を有し、液保持性の吸収性コアを含んで構成される吸収体と、該吸収体の横方向外方に位置する固定部を起点として着用者の肌に向かって起立する一対の防漏カフと、該一対の防漏カフ間に配され、該吸収性コアよりも着用者の肌に近い位置で該吸収体と重なる表面シートとを備える吸収性物品であって、前記表面シートにおける、前記防漏カフを横方向内側に倒伏させたときに該防漏カフと重ならない部分に、スキンケア剤が配されており、前記股下部において、前記表面シートが、前記吸収体の縦方向に沿う両側縁から横方向外方に延出し、その表面シートの延出部が、該吸収体の横方向外方において、縦方向に延びる折曲線にて該表面シートの肌対向面側に折り重ねられ且つその重なり合う表面シートどうしが接合されて、折り重ね接合部を形成しており、該折り重ね接合部に前記防漏カフが接合されている吸収性物品である。
【発明の効果】
【０００８】
本発明によれば、表面シートに配されたスキンケア剤、より具体的には防漏カフに対して親水化作用を発現し得るスキンケア剤が、防漏カフに付着することによって起こる排泄物の漏れが抑制され、スキンケア効果に優れた吸収性物品が提供される。
【図面の簡単な説明】
【０００９】
【図１】図１は、本発明の吸収性物品の一実施形態である展開型使い捨ておむつの肌対向面即ち表面シート側を模式的に示す平面図であり、各部の弾性部材を伸長させて平面状に拡げた展開状態における平面図である。
【図２】図２は、図１のＩ−Ｉ線断面を模式的に示す横断面図であり、防漏カフがおむつの横方向内側に倒伏している状態を示す図である。
【図３】図３は、図２の片側の防漏カフ及びその近傍を拡大して模式的に示す横断面図である。
【図４】図４（ａ）〜図４（ｇ）は、それぞれ、本発明に係る折り重ね接合部の実施形態の模式的な平面図であり、該折り重ね接合部と表面シートの重なり部分との関係を示す図である。
【図５】図５は、本発明の吸収性物品の他の実施形態の要部、具体的には、吸収体及び折り重ね接合部が存在する吸収性物品の横方向中央部を模式的に示す平面図であり、各部の弾性部材を伸長させて平面状に拡げた展開状態における平面図である。
【発明を実施するための形態】
【００１０】
以下、本発明の吸収性物品を、その好ましい一実施形態である展開型使い捨ておむつに基づき図面を参照して説明する。図１及び図２に示す展開型使い捨ておむつ１は、着用者の前後方向、即ち腹側から股間部を介して背側に延びる方向に相当する縦方向Ｘと、これに直交する横方向Ｙとを有すると共に、着用者の股間部に配される股下部Ｂ並びにその前後に延在する腹側部Ａ及び背側部Ｃを有する。腹側部Ａ、股下部Ｂ及び背側部Ｃは、おむつ１を縦方向Ｘに三等分した場合の各領域に相当する。股下部Ｂは、おむつ１の着用時に着用者のペニス、肛門等の排泄部に対向配置される排泄部対向部を有しており、該排泄部対向部は通常、おむつ１の縦方向Ｘの中央部又はその近傍に位置している。
【００１１】
おむつ１は、図１及び図２に示すように、液保持性の吸収体４と、吸収体４の縦方向Ｘに沿う両側縁４Ｓ，４Ｓよりも横方向Ｙの外方に位置する固定部５Ｓを起点として着用者の肌に向かって起立する一対の防漏カフ５，５と、一対の防漏カフ５，５間に配され、吸収体４よりも着用者の肌に近い位置で吸収体４と重なる表面シート２と、吸収体４の非肌対向面側に配され、吸収体４よりも着用者の肌から遠い位置で吸収体４と重なる裏面シート３とを具備し、図１に示す如き平面視において、股下部Ｂに位置する縦方向Ｘの中央部が内方に括れ且つ一方向即ち縦方向Ｘに長い、縦長の砂時計状をなしている。表面シート２及び裏面シート３は、それぞれ、両シート２，３間に介在配置された吸収体４よりも大きな寸法を有し、図１に示す如き展開且つ伸長状態のおむつ１の外形を形成している。表面シート２及び裏面シート３としては、この種の吸収性物品において通常用いられているものを特に制限なく用いることができる。表面シート２としては、例えば、液透過性を有する親水性の不織布や穿孔フィルムなどを用いることができ、これらの不織布やフィルムは一般に熱可塑性樹脂、例えば、ポリエチレンやポリプロピレン等のポリオレフィン樹脂、ポリエチレンテレフタレート等のポリエステル樹脂等から構成されている。裏面シート３としては、例えば、液不透過性のフィルムや液難透過性の不織布などを用いることができ、液不透過性のフィルムは透湿性を有していてもよい。
【００１２】
尚、本明細書において、「肌対向面」は、吸収性物品又はその構成部材（例えば表面シート２）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味する。
【００１３】
吸収体４は、図１に示す如き平面視において縦方向Ｘに長い形状をなし、腹側部Ａから背側部Ｃにわたって延在している。吸収体４は、吸収性材料を含む液保持性の吸収性コア４０と、該吸収性コア４０の肌対向面及び非肌対向面を被覆するコアラップシート４１とを含んで構成されている。吸収性コア４０とコアラップシート４１との間は、ホットメルト型接着剤等の公知の接合手段により接合されている。
【００１４】
吸収性コア４０は、吸収体４の主体をなしており、図１に示す如き平面視において、縦方向Ｘの中央部、より具体的には股下部Ｂに位置する部分が内方に括れた砂時計状をなしている。吸収性コア４０は吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。吸収性コア４０は、親水性繊維の積繊体、あるいは該積繊体に吸水性ポリマー粒子を担持させたものであり得る。
【００１５】
コアラップシート４１としては、透水性のシート材を用いることができ、例えば、紙、不織布等を用いることができる。おむつ１においては、コアラップシート４１は、吸収性コア４０の横方向Ｙの長さの２倍以上３倍以下の幅を有する１枚の連続したシートであり、この１枚のコアラップシート４１は、図２に示すように、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。尚、コアラップシート４１の形態はこれに限定されず、例えば、吸収性コア４０の肌対向面を被覆する肌側コアラップシートと、吸収性コア４０の非肌対向面を被覆する非肌側コアラップシートとを含み、且つ両シートがそれぞれ別体のシートであってもよい。
【００１６】
図１に示すように、背側部Ｃにおける着用者の胴周りに対応する胴周り部における表面シート２と裏面シート３との間には、糸状の弾性部材１１が横方向Ｙに伸長状態で複数固定されており、これにより、おむつ１の着用時における該胴周り部には、弾性部材１２の収縮により胴周りギャザーが形成される。また、着用者の脚周りに配される左右のレッグ部における防漏カフ形成用シート５０と裏面シート３との間には、糸状の弾性部材１２が縦方向Ｘに沿って伸長状態で固定されており、これにより、おむつ１の着用時におけるレッグ部には、弾性部材１２の収縮により一対のレッグギャザーが形成される。表面シート２、裏面シート３、吸収体４、シート５０及び各弾性部材１１，１２は、ホットメルト型接着剤等の公知の接合手段により互いに接合されている。
【００１７】
図１に示すように、おむつ１の背側部Ｃの縦方向Ｘに沿う両側縁部には、一対のファスニングテープ６，６が設けられている。ファスニングテープ６には、機械的面ファスナーのオス部材からなる止着部６１が取り付けられている。また、おむつ１の腹側部Ａの非肌対向面には、機械的面ファスナーのメス部材からなる被止着領域７が形成されている。被止着領域７は、腹側部Ａの非肌対向面を形成する裏面シート３の非肌対向面に、機械的面ファスナーのメス部材を公知の接合手段、例えば接着剤やヒートシール等で接合固定して形成されており、ファスニングテープ６の止着部６１を着脱自在に止着可能になされている。
【００１８】
一対の防漏カフ５，５は、それぞれ、図２に示すように、おむつ１の縦方向Ｘの全長にわたって連続する１枚の防漏カフ形成用シート５０と、該シート５０に縦方向Ｘに伸長状態で固定された１本又は複数本（図示の形態では２本）の糸状の防漏カフ形成用弾性部材５１とを含んで構成されている。
【００１９】
防漏カフ形成用シート５０は、図２及び図３に示すように、吸収体４の縦方向Ｘに沿う側縁４Ｓを横方向Ｙに跨ぐように配され、縦方向Ｘに沿う内側縁部５Ａと、該内側縁部５Ａよりも横方向Ｙの外方に位置して縦方向Ｘに沿う外側縁部５Ｂとを有し、図１に示す如き展開且つ伸長状態のおむつ１の平面視において、内側縁部５Ａは吸収体４と重なり、外側縁部５Ｂは吸収体４の側縁４Ｓよりも横方向Ｙの外方に位置している。内側縁部５Ａは、少なくとも股下部Ｂ、具体的には例えば、股下部Ｂ並びに腹側部Ａ及び背側部Ｃにおける股下部Ｂ寄りの部分においては、表面シート２をはじめとするおむつ１の他の構成部材と非接合の自由端部とされ、腹側部Ａ及び背側部Ｃにおける縦方向Ｘの前後端部においては、表面シート２に接合されている（図示せず）。外側縁部５Ｂは、縦方向Ｘの全長にわたって、おむつ１を構成する他の部材（図示の形態では裏面シート３）に接合されている。防漏カフ形成用弾性部材５１は、縦方向Ｘに伸長状態でシート５０の内側縁部５Ａ（自由端部）に固定されている。以上の構成により、おむつ１の着用時には縦方向Ｘに弾性部材５１の収縮力が働き、防漏カフ５は、少なくとも内側縁部５Ａが自由端部とされている領域である股下部Ｂにおいて、図２及び図３に示すように、シート５０の他の部材（裏面シート３）との固定部５Ｓを起点として、内側縁部５Ａ側を図示しない着用者の肌に向けて起立する。
【００２０】
防漏カフ形成用シート５０としては、尿等の体液の外部への漏れ出しを防止するという役割を確実に果たす観点から、疎水性のシート材料が用いられる。疎水性のシート材料としては、例えば、疎水性の不織布として、エアスルー不織布、スパンボンド不織布、ＳＭＳ不織布、ＳＭＭＳ不織布、ＳＳＭＳ不織布等を用いることができ、その他にも、疎水性の樹脂フィルム、該樹脂フィルムと該不織布との積層体等を用いることができる。ここでいう「Ｓ」はスパンボンド不織布、「Ｍ」はメルトブローン不織布を意味する。
【００２１】
防漏カフ形成用シート５０の他の部材（図示の形態では裏面シート３）との固定部５Ｓは、前記の通り、防漏カフ５（シート５０）が起立する際の起点となるもので、横方向Ｙに所定の長さを持って縦方向Ｘに延在している。おむつ１における固定部５Ｓは、図１に示す如き平面視において縦方向Ｘに延びる連続した直線状をなしているが、固定部５Ｓの平面視形状はこれに限定されず、例えば、波線、湾曲線、ジグザグ線などでもよく、また、１本の連続線でなくてもよく、比較的長さの短い小固定部と非固定部とが縦方向Ｘに交互に配置された構成の破断線でもよい。また、固定部５Ｓにおける防漏カフ５（シート５０）と他の部材（裏面シート３）との固定手段は、特に限定されずにこの種の吸収性物品において公知の方法を適宜採用することができ、例えば、接着剤による固定、ヒートシールや超音波加工などによる融着を例示できる。
【００２２】
おむつ１には、図１及び図２に示すように、表面シート２にスキンケア剤１０が配されている。このように、おむつ１における着用者の肌と直接接触し得る部位である表面シート２にスキンケア剤１０が配されることで、おむつ１の着用中における着用者の皮膚のかぶれ等の肌トラブルが効果的に抑制され得る。
【００２３】
しかしながら、表面シート２にスキンケア剤１０を配置すると、スキンケア剤１０の種類によっては、防漏カフ５が表面シート２側に倒伏してこれと接触した際にスキンケア剤１０が表面シート２から防漏カフ５に転移し、その結果、防漏性の観点から疎水性とされている防漏カフ５が親水化してしまい、その防漏カフの親水化した部分から、尿や軟便などの体液がおむつ１の外部に漏れ出すことが懸念される。そこで、おむつ１では斯かる懸念を払拭するために、スキンケア剤１０の配置を工夫している。
【００２４】
具体的には図１に示すように、おむつ１においては、表面シート２における、防漏カフ５を横方向Ｙの内側に倒伏させたときに該防漏カフ５と重ならない部分に、防漏カフ５に対して親水化作用を発現し得るスキンケア剤１０が配されている。スキンケア剤１０は、防漏カフ５に付着した場合にはこれを親水化し得るものである。スキンケア剤１０は、おむつ１の横方向Ｙの中央部に配されており、スキンケア剤１０の配置部は、図１に示す如き平面視において縦方向Ｘに延びる帯状をなし、表面シート２の縦方向Ｘの全長にわたって連続的に延びている。
【００２５】
表面シート２にスキンケア剤１０を配置する方法は特に限定されず、スキンケア剤１０の種類などに応じて公知の方法を適宜選択できる。典型的には、必要に応じて適当な溶媒に溶解させるかあるいは加熱するなどして調製された、流動性を有するスキンケア剤１０を、塗布、噴霧、浸漬などの方法で、表面シート２の肌対向面に付着させる。スキンケア剤１０の付着手段として、例えば、ダイコーター方式、スロットスプレー方式、カーテンスプレー方式、メルトブローン方式、スパイラルスプレー方式、グラビア方式、ビード方式が挙げられる。
【００２６】
表面シート２におけるスキンケア剤１０の付着量は、スキンケア剤１０の種類などに応じて十分なスキンケア効果が発現する範囲で適宜選択すればよく特に制限されないが、坪量として、好ましくは０．０５ｇ／ｍ２以上、さらに好ましくは０．１０ｇ／ｍ２以上、そして、好ましくは５．０ｇ／ｍ２以下、さらに好ましくは３．０ｇ／ｍ２以下である。
【００２７】
前述した通り、おむつ１においては、表面シート２に配されたスキンケア剤１０が防漏カフ５に付着することによって起こる不都合を防止するために、スキンケア剤１０の配置が工夫されているが、斯かる工夫だけでは不都合を十分に防止できない場合がある。即ち、表面シート２におけるスキンケア剤１０の配置部は、横方向Ｙの内側に倒伏された状態の防漏カフ５と重ならない部分とされているが、この「倒伏された状態の防漏カフ５」の内側縁部５Ａが、スキンケア剤１０の配置部を設定するときの想定位置よりもさらに横方向Ｙの内側に入り込む場合があり、その場合は、防漏カフ５の内側縁部５Ａ側にスキンケア剤１０が付着して親水化されるおそれがある。
【００２８】
おむつ１には、例えば未使用のおむつ１を保管する場合などにおいてこれを折り畳むのに利用される、折り目が形成される場合がある。この折り目は、典型的には、図１及び図３中符号ＦＬで示す線の如き、股下部Ｂを横方向Ｙに横断する線に沿って形成される。図１及び図３中符号ＦＬで示す線に沿って形成されたおむつ１の折り目は、平面視においておむつ１を縦方向Ｘに二分して横方向Ｙに延びる直線状をなし、おむつ１は、この折り目ＦＬにて肌対向面側（表面シート２側）を内側にして２つ折りされる。このような、おむつ１が股下部Ｂの折り目で折り畳まれた場合が、前述した、防漏カフ５が想定よりもさらに横方向Ｙの内側に入り込む場合の一例であり、このとき、表面シート２のスキンケア剤１０の配置部に対し、防漏カフ５における股下部Ｂに位置する部分が倒伏して接触し、該防漏カフ５の内側縁部５Ａなどに該スキンケア剤１０が転移して親水化されるおそれがある。また股下部Ｂは、おむつ１の着用時において着用者の両大腿部間に挟まれた状態で配置されるため、股下部Ｂにはこれを横方向Ｙに圧縮するような外力が作用しやすく、そのような外力の作用によって、防漏カフ５における股下部Ｂに位置する部分が、横方向Ｙの内側に過剰に入り込む場合があり、斯かる場合にも、表面シート２からのスキンケア剤１０の転移による防漏カフ５の親水化が起こり得る。
【００２９】
そこで、おむつ１においては、表面シートに配されたスキンケア剤が防漏カフに付着することによって起こる不都合をより確実に防止するために、前述したスキンケア剤１０の配置の工夫に加えてさらに、防漏カフ５の股下部Ｂに位置する部分が横方向Ｙの内側に入り込みにくい構成を採用した。斯かる構成とは、具体的には図２及び図３に示すように、股下部Ｂにおいて、表面シート２が、吸収体４の縦方向に沿う両側縁４Ｓ，４Ｓから横方向Ｙの外方に延出し、その表面シートの延出部２Ｅが、吸収体４の横方向Ｙの外方において、縦方向Ｘに延びる折曲線２１にて表面シート２の肌対向面側に折り重ねられ且つその重なり合う表面シート２，２どうしが接合されて、折り重ね接合部２０を形成しており、この折り重ね接合部２０に防漏カフ５（防漏カフ形成用シート５０）が接合されている構成である。
【００３０】
このような、股下部Ｂにおける折り重ね接合部２０を含む構成により、一対の防漏カフ５，５における股下部Ｂに位置する部分が、折り重ね接合部２０が形成されていない状態と比べて横方向Ｙの外側に張り出した構造となるため、横方向Ｙの外側に引っ張られやすくなる一方で、横方向Ｙの内側に入り込みにくくなる。そのため、おむつ１においては、防漏カフ５が本来有する起立性が維持されつつ、一対の防漏カフ５，５の離間幅Ｗ（図１参照）、即ち一方の防漏カフ５の内側縁部５Ａと他方のそれとの間の長さ（表面シート２における、防漏カフ５で被覆されずに露出する部分の幅）が過剰に狭くなることが防止され、結果として、表面シート２からのスキンケア剤１０の転移による防漏カフ５の親水化が効果的に防止され得る。股下部Ｂにおける一対の防漏カフ５，５の離間幅Ｗは、斯かる防漏カフ５の親水化の防止効果とスキンケア剤１０による作用効果とのバランスの観点から、好ましくは６０ｍｍ以上、さらに好ましくは７０ｍｍ以上、そして、好ましくは９０ｍｍ以下、さらに好ましくは１００ｍｍ以下である。
【００３１】
特におむつ１においては、吸収体４の主体をなす吸収性コア４０が、図１に示す如き平面視において股下部Ｂに位置する部分が括れている、即ち、股下部Ｂにおける吸収性コア４０の横方向Ｙの長さ（幅）がその前後（腹側部Ａ及び背側部Ｃ）における幅に比して短くなされていることによって、股下部Ｂにおける防漏カフ５の起立性が高められているため、折り重ね接合部２０を含む構成の採用に起因する防漏カフ５の起立性の低下が効果的に抑制されている。
【００３２】
おむつ１において、折り重ね接合部２０は図１に示すように、表面シート２の延出部２Ｅにおける股下部Ｂに位置する部分のみに形成され、延出部２Ｅの縦方向Ｘの全長にわたっては形成されていない。防漏カフ５が横方向Ｙの内側に過剰に入り込む、即ち一対の防漏カフ５，５の離間幅Ｗが狭くなることを防止する観点からは、延出部２Ｅの縦方向Ｘの全長にわたって折り重ね接合部２０を形成することが有効であるかもしれないが、折り重ね接合部２０自体は比較的硬いため、これを延出部２Ｅの縦方向Ｘの全長にわたって形成すると、おむつ１が全体的に硬くなって着用感の低下などの不都合を招くおそれがある。そこでおむつ１においては、特に防漏カフ５の横方向Ｙの内側への入り込みが起こりやすい部位である、股下部Ｂに選択的に折り重ね接合部２０を形成している。
【００３３】
おむつ１においては、該おむつ１を折り畳む際に利用される折り目が、図１及び図３中符号ＦＬで示す直線に沿って形成されており、即ち股下部Ｂを横方向Ｙに横断するように形成されているところ、折り重ね接合部２０は、この折り目ＦＬを跨いで縦方向Ｘに延びている。比較的硬い折り重ね接合部２０が、おむつ１を折り畳む際の折り目との関係でこのように配されていることにより、股下部Ｂにおける折り目及びその近傍の剛性が向上するため、前述した、折り重ね接合部２０の形成による防漏カフ５の横方向Ｙの外側への張り出し構造が維持されやすくなり、前述した作用効果がより一層確実に奏されるようになる。
【００３４】
おむつ１においては、折り重ね接合部２０は、股下部Ｂにおいて表面シート２（延出部２Ｅ）の縦方向Ｘに沿う両側部に一対形成されている。そして、その一対の折り重ね接合部２０，２０は、それぞれ図１及び図３に示すように、平面視矩形状をなし、その長手方向が縦方向Ｘに一致し、且つ折り目ＦＬを挟んで前後対称に形成されている。また、折り重ね接合部２０と防漏カフ５（防漏カフ形成用シート５０）との接合は、図２及び図３に示すように、折り重ね接合部２０から延出する表面シート２（延出部２Ｅの縦方向Ｘに沿う側縁部）がシート５０に接合されることによってなされており、この表面シート２とシート５０との接合は、接着剤による固定、ヒートシールや超音波加工などによる融着などによってなされている。
【００３５】
またおむつ１においては、図１〜図３に示すように、折り重ね接合部２０と防漏カフ５の起立の起点となる固定部５Ｓとが重なっている。即ち図１に示す如きおむつ１の平面視において、折り重ね接合部２０と固定部５Ｓとが重なっており、固定部５Ｓの非肌対向面側に折り重ね接合部２０が位置している。斯かる構成により、前述した、折り重ね接合部２０の形成による防漏カフ５の横方向Ｙの外側への張り出し構造が維持されやすくなり、前述した作用効果がより一層確実に奏されるようになる。
【００３６】
折り重ね接合部２０において重なり合う表面シート２どうしは、公知の接合手段によって接合することができ、例えば、接着剤による接合、ヒートシールや超音波加工などによる融着を例示できる。一般に、接着剤による接合は、融着による接合に比して、被接合部材（表面シート２）が硬化する度合いが低く、被接合部材が本来有する柔軟性が維持されやすい。従って、折り重ね接合部２０において重なり合う表面シート２どうしが接着剤を介して接合されている場合は、折り重ね接合部２０及びその近傍の柔軟性が比較的維持されやすく、おむつ１の着用感の点で有利である。一方、折り重ね接合部２０において重なり合う表面シート２どうしが融着によって接合されている場合は、接着剤による接合に比して、柔軟性の点で劣るものの、前述した、折り重ね接合部２０の形成による防漏カフ５の横方向Ｙの外側への張り出し構造の保形性が向上し、前述した作用効果がより一層確実に奏されるようになり得る。尚、折り重ね接合部２０において重なり合う表面シート２どうしの接合は、接着剤による固定と融着とを組み合わせて行うこともできる。
【００３７】
折り重ね接合部２０は、図３に示すように、表面シート２の重なり部分２Ｄにおいて、少なくとも折曲線２１とは反対側に形成されていることが好ましい。おむつ１においては、図３に示すように、平面視矩形状の折り重ね接合部２０の横方向Ｙの長さ即ち幅は、重なり部分２Ｄの幅よりも小さく、重なり部分２Ｄにおける折曲線２１から最も離れた位置、即ち重なり部分２Ｄの縦方向に沿う両側縁のうちの折曲線２１とは反対側の吸収体寄り側縁２２に沿って形成されている。このように、重なり部分２Ｄに折り重ね接合部２０を部分的に形成することにより、重なり部分２Ｄの全域に折り重ね接合部２０を形成する場合（図４（ｃ）参照）に比して、折り重ね接合部２０及びその近傍の柔軟性が比較的維持されやすく、おむつ１の着用感が良好なものとなる。また、重なり部分２Ｄに折り重ね接合部２０を部分的に形成するにしても、図３に示す如くに、比較的硬い部位である折曲線２１からなるべく離して形成することで、折り重ね接合部２０及びその近傍の柔軟性の維持がより一層容易となり得る。
【００３８】
折り重ね接合部２０の形態、特に、折り重ね接合部２０の平面視形状、及び重なり部分２Ｄにおける位置などは、図３に示す形態に限定されず、本発明の趣旨を逸脱しない範囲で適宜設定することができる。図４（ａ）〜図４（ｇ）には、本発明に包含される折り重ね接合部２０の形態が示されている。図４（ａ）〜図４（ｇ）に示す形態は、１）折り重ね接合部２０が、おむつ１の折り目ＦＬを跨いで縦方向Ｘに延びている点、及び２）折り重ね接合部２０が、表面シート２の重なり部分２Ｄにおいて、少なくとも折曲線２１とは反対側（重なり部分２Ｄの２２側）に形成されている点で共通する。
【００３９】
図４（ａ）及び図４（ｂ）に示す形態は、折り重ね接合部２０の横方向Ｙの長さ（幅）が重なり部分２Ｄのそれよりも短く、その相対的に幅狭の折り重ね接合部２０が、横方向Ｙに間欠配置されている点で共通する。両形態の相違点は、折り重ね接合部２０の数であり、図４（ａ）に示す形態は２個、図４（ｂ）に示す形態は３個である。
図４（ｃ）に示す形態では、重なり部分２Ｄの全域に折り重ね接合部２０が配されている。
図４（ｄ）〜図４（ｆ）に示す形態は、折り重ね接合部２０の縦方向Ｘの長さが重なり部分２Ｄのそれよりも短く、その相対的に縦方向長さの短い折り重ね接合部２０が、縦方向Ｘに間欠配置されている点で共通する。図４（ｄ）に示す形態では、複数（３個）の折り重ね接合部２０が、それぞれ、重なり部分２Ｄを横方向Ｙに横断しているのに対し、図４（ｅ）に示す形態では、複数（３個）の折り重ね接合部２０が、それぞれ、重なり部分２Ｄの吸収体寄り側縁２２側（折曲線２１側とは反対側）にのみ配されている。また、図４（ｆ）に示す形態では、重なり部分２Ｄの吸収体寄り側縁２２側及びそれとは反対側の折曲線２１側それぞれに複数（３個）の折り重ね接合部２０が配され、重なり部分２Ｄの横方向Ｙの中央部には折り重ね接合部２０が配されていない。
図４（ｇ）に示す形態では、折り重ね接合部２０が平面視において閉じた環状をなしており、その平面視環状の折り重ね接合部２０に囲まれた、重なり部分２Ｄの中央部には、折り重ね接合部２０は配されていない。
【００４０】
折り重ね接合部２０の縦方向Ｘの長さは、好ましくは２０ｍｍ以上、さらに好ましくは３０ｍｍ以上、そして、好ましくは１００ｍｍ以下、さらに好ましくは８０ｍｍ以下である。
折り重ね接合部２０の横方向Ｙの長さ（幅）は、好ましくは１ｍｍ以上、さらに好ましくは２ｍｍ以上、そして、好ましくは１０ｍｍ以下、さらに好ましくは８ｍｍ以下である。
表面シート２の重なり部分２Ｄの横方向Ｙの長さ（幅）は、好ましくは２ｍｍ以上、さらに好ましくは４ｍｍ以上、そして、好ましくは１０ｍｍ以下、さらに好ましくは８ｍｍ以下である。
【００４１】
図５には、本発明の吸収性物品の他の実施形態の要部が示されている。後述する他の実施形態については、前述した実施形態のおむつ１と異なる構成部分を主として説明し、同様の構成部分は同一の符号を付して説明を省略する。特に説明しない構成部分は、おむつ１についての説明が適宜適用される。
【００４２】
図５は、本発明の吸収性物品の他の実施形態における、図１に示すおむつ１の横方向Ｙの中央部に相当する部分、より具体的には、おむつ１における吸収体４及び折り重ね接合部２０が存在する部分に相当する部分を模式的に示した図である。図５に示す本発明の吸収性物品の他の実施形態は、吸収体４Ａを構成する吸収性コア４０の平面視形状が縦方向Ｘに長い矩形状である点で、吸収性コア４０の平面視形状が縦長の砂時計状であるおむつ１と異なる。即ち、吸収体４Ａを構成する吸収性コア４０は、股下部Ｂにおいて括れていないが、その代わりに股下部Ｂに、吸収性コア４０のコア形成材料が吸収性コア４０の他の部位よりも少ないか又は全く存在しない、コア形成材料調整部４０Ｅが形成されている。コア形成材料が全く存在しないコア形成材料調整部４０Ｅは、いわゆる貫通孔である。吸収体４Ａにおいて、コア形成材料調整部４０Ｅは平面視において一方向に長い形状をなし、その長手方向が縦方向Ｘに一致している。吸収体４Ａにおける股下部Ｂに位置する部分には、３個のコア形成材料調整部４０Ｅが横方向Ｙに間欠配置されている。吸収性コア４０にコア形成材料調整部４０Ｅを形成することで、吸収性コア４０の液拡散性やフィット性などが向上し得る。
【００４３】
このように、吸収性コア４０における股下部Ｂに位置する部分に、吸収性コア４０の他の部位に比してコア形成材料の積繊量が少ないか全く積繊されていないコア形成材料調整部４０Ｅが形成されていると、該部分の剛性が低下するため、防漏カフ５における股下部Ｂに位置する部分が横方向Ｙの内側に過剰に入り込みやすくなる。これは、図１に示すナプキン１において、平面視砂時計状の吸収性コア４０の括れ部、即ちコア形成材料が全く積繊されていない部分が股下部Ｂに位置していたことと同じである。そこで、図５に示す形態においても、図１のナプキンと同様に、コア形成材料の積繊量が相対的に少ない股下部Ｂに部分的に折り重ね接合部２０を形成している。
【００４４】
本発明で用いるスキンケア剤について説明する。この種の吸収性物品で使用されるスキンケア剤には、親水性のものと疎水性のものがあるが、本発明で用いるスキンケア剤は好ましくは親水性である。スキンケア剤が親水性であることで、肌への親和性が高まるという効果が奏される。親水性のスキンケア剤には、吸収性物品における防漏カフに対して親水化作用を発現し得るものがあることは、前述した通りである。
【００４５】
本発明で用いるスキンケア剤としては、好ましくは親水性であって、且つ着用者の肌に対して保護、治癒等の効能を有するものを特に制限なく用いることができる。例えば、好ましいスキンケア剤として、下記式（Ｉ）で表されるジアミド誘導体が挙げられる。下記式（Ｉ）で表されるジアミド誘導体は、国際公開第００／０６１０９７号に記載されている発明のジアミド誘導体であり、角質層の水分保持能力及びバリヤ機能を改善する、という薬効を有している。該ジアミド誘導体が、おむつ１の着用中に着用者の肌に移行すると、油性スキンケア剤として機能し、肌のかぶれを抑制／改善することができる。
【００４６】
【化１】
2019030399.tif 000003
【００４７】
スキンケア剤として前記ジアミド誘導体を使用する場合、使用するジアミド誘導体は１種のみであってもよいし、２種以上を併用することもできる。
【００４８】
本発明で使用可能な他の親水性のスキンケア剤としては、例えば化粧品の分野においてエモリエント剤として用いられているスキンケア剤等を用いることができる。他の親水性のスキンケア剤の具体例としては、流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２９８６４３号公報又は特表２００８−５２２７７２号公報に記載されている発明で使用されるエモリエント剤やエモリエント剤と固定化剤を含むローション組成物等が挙げられる。前記各種の親水性のスキンケア剤は、１種を単独で使用しても良いし、２種以上を併用しても良い。
【００４９】
前記各種の親水性のスキンケア剤の中でも特に、Ｃ１２〜Ｃ２２脂肪アルコール（好ましくはステアリルアルコール）と前記式（Ｉ）のジアミド誘導体との混合物は、表面シートに配された場合に該表面シートの体液透過性を阻害しないため好ましい。スキンケア剤の肌への移行性、スキンケア効果、使用時の感触、及び表面シートの体液透過性の観点から、ステアリルアルコールと前記式（Ｉ）のジアミド誘導体との混合質量比は、ステアリルアルコール／ジアミド誘導体として、９０／１０〜５０／５０の範囲にあることが好ましい。前記混合物は、加熱してその流動性を高めてから、表面シート上に塗布して付着させることが好ましい。また、前記混合物を表面シート２に付着させた後は、常温で放置することにより、該混合物の流動性を低下させて、該表面シートに保持され易くすることが好ましい。
【００５０】
表面シートにスキンケア剤を配する際には、種々のコーティング方式の塗工手段を特に制限なく利用でき、例えば、ダイスコーター方式、スロットスプレー方式、カーテンスプレー方式、メルトブローン方式、スパイラルスプレー方式、グラビア方式、ビード方式等が挙げられる。
【００５１】
以上、本発明をその実施形態に基づいて説明したが、本発明は、前記実施形態に制限されることなく適宜変更が可能である。例えば、吸収性や防漏性等の向上の観点から、表面シート２と吸収体４（コアラップシート４１）との間に、サブレイヤーなどとも呼ばれる、紙あるいは各種不織布からなる液透過性シートが介在配置されていてもよい。同様の観点から、おむつ１の肌対向面に、表面シート２及び吸収体４が一体的に圧密化されてなる溝が形成されていてもよい。
本発明は、前記実施形態の如き展開型の使い捨ておむつに制限されず、人体から排出される体液（尿、軟便、経血、汗等）の吸収に用いられる物品を広く包含し、パンツ型の使い捨ておむつ、生理用ナプキン、生理用ショーツ等も包含される。
前述した一の実施形態のみが有する部分は、すべて適宜相互に利用できる。
【符号の説明】
【００５２】
１  展開型使い捨ておむつ（吸収性物品）
２  表面シート
２Ｄ  表面シートの重なり部分
２Ｅ  表面シートの延出部
２０  折り重ね接合部
２１  折曲線
３  裏面シート
４  吸収体
４Ｓ  吸収体の側縁  
４０  吸収性コア
４０Ｅ  コア形成材料調整部
４１  コアラップシート
５  防漏カフ
５Ｓ  固定部（防漏カフの起立起点）
５Ａ  内側縁部
５Ｂ  外側縁部
５０  防漏カフ形成用シート
５１  防漏カフ形成用弾性部材
１０  スキンケア剤
Ａ  腹側部
Ｂ  股下部
Ｃ  背側部
Ｘ  縦方向
Ｙ  横方向
ＦＬ  吸収性物品の折り目
【図１】
2019030399.tif 000004
【図２】
2019030399.tif 000005
【図３】
2019030399.tif 000006
【図４】
2019030399.tif 000007
【図５】
2019030399.tif 000008